(57)【要約】【課題】  既存の部材を有効に活用しながら建枠の高さを簡便に調整できるようにすると共に、グラビティロックの取り付けも容易な仮設足場用延長パイプを提供すること。【解決手段】  仮設足場１の建枠２０の高さを調整するための延長パイプ１０であって、建枠２０に装着された連結ピン３０の上端に嵌合する内周形状を少なくとも下端部近傍に有し、調整する高さに応じた長さを有する第１延長部１１と、第１延長部から上方に連設され、連結する該建枠の下端に嵌入可能な形状を有する第２延長部１２とを備えることを特徴とする仮設足場用延長パイプを提供する。【選択図】図１
2019157445.tif 000002
【特許請求の範囲】
【請求項１】
仮設足場の建枠の高さを調整するための延長パイプであって、
該建枠に装着された連結ピンの上端に嵌合する内周形状を少なくとも下端部近傍に有し、調整する高さに応じた長さを有する第１延長部と、
該第１延長部から上方に連設され、連結する該建枠の下端に嵌入可能な形状を有する第２延長部と、
を備えることを特徴とする仮設足場用延長パイプ。
【請求項２】
前記第１延長部には、前記連結ピンと径方向にピン体を互いに挿通可能な第１孔部を備えると共に、
前記第２延長部には、連結する前記建枠の下端と連結する連結手段を備えた
請求項１に記載の仮設足場用延長パイプ。
【請求項３】
前記第１延長部の長さが、１００ｍｍないし２３０ｍｍである、
請求項１又は２に記載の仮設足場用延長パイプ。
【請求項４】
グラビティロックの一端芯部には雌ねじを備えてボルトと螺合可能にしたグラビティロックと、
該ボルトと、
請求項１ないし３のいずれかに記載の仮設足場用延長パイプであって、前記第１延長部には、該グラビティロックと共に用いる該ボルトを貫通可能な第２孔部を備えた仮設足場用延長パイプと
から構成される組み合わせ体。
【発明の詳細な説明】
【技術分野】
【０００１】
本発明は、仮設足場の建枠に用いるための延長パイプに関する。
【背景技術】
【０００２】
建設現場や、イベント会場などにおいて仮設足場が広く用いられている。仮設足場は、建枠、ジャッキベース、布板、手摺、方杖、階段などの部材から構成されている。建枠は仮設足場を構成する主要な部材であり、支柱として縦方向に配列される。
【０００３】
建枠には鳥居型や梯子形などの種類があり、高さは人の背丈に応じた１７００ｍｍ、１９３０ｍｍなどの他、９１４ｍｍ、１２１９ｍｍ、１５２４ｍｍなどの種類がある。また、幅は６１０ｍｍ、９１４ｍｍ、１２１９ｍｍなど、サイズ別に提供されている。これらのサイズは、大まかな傾向はあるものの、メーカーによって異なっているのが現状である。
【０００４】
基本的にはメーカー毎に規格化されたこれらの部材を組み合わせて仮設足場を現場で建設することになるが、現場の形状や部材の組み合わせによって高さを調整する要請がある。
この点、調整枠と呼ばれる、高さの低いタイプの建枠も併せて提供されている。例えば、高さ４９０ｍｍ、幅９１４ｍｍ（カンサイカセツ株式会社 A-317(K)）の調整型建枠が挙げられる。
【０００５】
また、建枠同士を連結する連結ピンが広く用いられており、円筒状の上下両端を上下の建枠に差し込み連結し、Ｊ字状のロックアームや、ロック板バネ（Ｖピン）のピンで抜け止めをしながら組み立てられている。そのため、縦方向に連結する場合にはこの連結ピンの差し込み部分を除く本体部分の高さだけ全高が高くなる。
【０００６】
さらに、建枠にはグラビティロックと呼ばれるピン状の部材を付設し、手摺や筋違に設けられた孔部にこのグラビティロックを挿通して固定している。
従来、このグラビティロック自体には他の部材と接続するための構造は備えられておらず、足場パイプに溶接固定して用いられている。
関連する特許文献１および２には、グラビティロックを有する仮設足場用側枠や階段用仮設手摺が開示されているが、いずれにもグラビティロックを着脱自在とする構造は開示されていない。
【０００７】
また、特許文献３，４には、ロック機構を有する足場パイプが開示されているが、ロック機構を雄ねじと雌ねじの組合せで着脱自在とする着想は開示されていない。
【先行技術文献】
【特許文献】
【０００８】
【特許文献１】実開昭59-132845号公報
【特許文献２】実公平7-16846号公報
【特許文献３】特許3306001号
【特許文献４】特開2017-180074号公報
【発明の概要】
【発明が解決しようとする課題】
【０００９】
本発明は、既存の部材を有効に活用しながら建枠の高さを簡便に調整できるようにすると共に、グラビティロックの取り付けも容易な仮設足場用延長パイプを提供することを目的とする。
【課題を解決するための手段】
【００１０】
上記課題を解決するために、本発明は次のような仮設足場用延長パイプを提供する。
すなわち、仮設足場の建枠の高さを調整するための延長パイプであって、建枠に装着された連結ピンの上端に嵌合する内周形状を少なくとも下端部近傍に有し、調整する高さに応じた長さを有する第１延長部と、第１延長部から上方に連設され、連結する該建枠の下端に嵌入可能な形状を有する第２延長部とを備えることを特徴とする仮設足場用延長パイプを提供する。
【００１１】
上記の第１延長部には、連結ピンと径方向にピン体を互いに挿通可能な第１孔部を備えると共に、上記の第２延長部には、連結する建枠の下端と連結する連結手段を備える構成でもよい。
【００１２】
上記第１延長部の長さが、１００ｍｍないし２３０ｍｍとすることもできる。
【００１３】
また、本発明は次のようにグラビティロックと仮設足場用延長パイプの組み合わせ体を提供することもできる。
すなわち、グラビティロックの一端芯部には雌ねじを備えてボルトと螺合可能にしたグラビティロックと、ボルトと、上記のいずれかに記載の仮設足場用延長パイプであって、第１延長部には、グラビティロックと共に用いるボルトを貫通可能な第２孔部を備えた仮設足場用延長パイプとから構成される組み合わせ体を提供する。
【発明の効果】
【００１４】
本発明は、上記構成を備えることで次のような効果を奏する。
仮設足場用延長パイプは従来から使用されている連結ピンを使用しながら建枠の高さを調整することができる。この時、連結ピンを使用することで下段の建枠に挿入する長さを短縮することができるので、仮設足場用延長パイプ自体の長さを最小限に抑えることが出来、運搬にも嵩張ることがない。
【００１５】
また、本発明に係る組み合わせ体によれば、グラビティロックをボルトで螺合可能としたことにより、グラビティロックを簡便に着脱自在とし、使用性の向上に寄与する。特に仮設足場用延長パイプを用いて高さを延長した際にも、その最上部においてグラビティロックを簡便に装着することができるので、使用性の向上に寄与する。
【図面の簡単な説明】
【００１６】
【図１】本発明に係る仮設足場の全体図である。
【図２】本発明に係る延長パイプの連結説明図である。
【図３】本発明に係る延長パイプの各面図である。
【図４】本発明に係る延長パイプとグラビティの組み合わせ体である。
【図５】本発明におけるグラビティの着脱の説明図である。
【図６】本発明におけるグラビティの着脱の説明図である。
【図７】本発明のグラビティの断面図である。
【発明を実施するための形態】
【００１７】
以下、本発明の実施形態を、図面に示す実施例を基に説明する。なお、実施形態は下記に限定されるものではない。
図１は、本発明に係る仮設足場（１）の全体図、図２は本発明に係る延長パイプの連結説明図、図３は本発明に係る延長パイプの各面図である。本発明は、仮設足場において建枠（２０）の高さを調整するための仮設足場用延長パイプ（以下、延長パイプという）（１０）に関し、従来から使用されている連結ピン（３０）と共に用いられる。
【００１８】
図１及び図２に示すように建枠（２０）に装着された連結ピン（３０）の上端に延長パイプ（１０）に嵌合させ、所定長分だけ延長した後、その上部を上段の建枠（２１）の下端に嵌入して使用する。
建枠（２０）は図示されるような鳥居型に限らず、梯子形など任意の形状のものに適用することができる。
【００１９】
建枠（２０）は図２のように円管状で連結ピン（３０）のやや小径に形成された下嵌入部（３１）が建枠（２０）の上端に嵌入し、やや大径の中間部（３２）が建枠（２０）の上端に載置される。
従来の使用方法としては、中間部（３２）上方のやや小径に形成された上嵌入部（３３）を上段の建枠の下端に嵌入させて使用されている。
【００２０】
本発明では、上嵌入部（３３）を延長パイプ（１０）の下端部に嵌入させて使用する。すなわち、延長パイプ（１０）の下端部（１０ａ）は、連結ピン（３０）の上嵌入部（３３）と嵌合する内周形状を少なくとも下端部近傍に有しており、上段の建枠（２１）の下端部と略同一の形状を備えている。
【００２１】
連結ピン（３０）の中間部（３２）には、Ｊ字状のロックアーム（３４）が配設されている。ロックアーム（３４）は下部を中間部（３２）に貫通し、内部にバネ（３５）を有して図２における左方向に付勢する。
そして、ロックアーム（３４）をバネに抗して右方向に引き出しながら、連結部の下端部（１０ａ）に備えられた第１孔部（１６）に、ロックアーム（３４）上部を挿入して抜け止めするように構成している。このような抜け止め方法についても、従来からの連結ピンと上段の建枠との連結方法と同一である。
【００２２】
下端部（１０ａ）から同じ円筒状が上方に延伸して第１延長部（１１）が形成されている。第１延長部（１１）は、調整する高さに応じた長さを有する。
この長さについて、本発明では１００ｍｍないし２３０ｍｍの延長パイプ（１０）が特に必要性が特に有効である。建枠の高さは１７００ｍｍ程度のものが多く使用されてきたが、作業者の頭上空間の確保や、現場の状況により１９００ｍｍ程度のものの使用も増えている。そこで、第１延長部の高さを２００ｍｍとすることで、１７００ｍｍと１９００ｍｍとの段差を解消することができる。
【００２３】
延長パイプ（１０）には、第１延長部（１１）から上方に連設され、連結する建枠の下端に嵌入可能な形状を有する第２延長部（１２）を備える。本実施例において、第２延長部（１２）は円管状の第１延長部（１１）の内周に当接した相対的に小径な円管体である。該円管体の外径は、上段の建枠（２１）の内径に対応し、両者は嵌合する。
【００２４】
第１延長部（１１）と第２延長部（１２）は約８５ｍｍの重なり部分（１０ｂ）を有しており、当該部位には連結手段としてＪ字状のロックアーム（１３）が配設される。このロックアーム（１３）も連結ピン（３０）に備えられたロックアーム（３４）と同態様であり、内部には図示しないバネを備えて図２における左に付勢しながら、上部（１３ａ）は第２延長部（１２）に備えた孔部（１４）に嵌入する。
このような構成により、上段の建枠（２１）を第２延長部（１２）に嵌合させた状態で、上部（１３ａ）を上段の建枠（２１）における図示しない孔部に連通させ、建枠（２１）の抜け止めを行うことができる。
【００２５】
重なり部分（１０ｂ）には、ロックアーム（１３）の他、本発明の特徴であるグラビティロック用の第２孔部（１５）を備える。第２孔部（１５）はロックアーム（１３）の下部が貫通する孔部と並行に、直径方向に貫通しており、後述するボルトを挿通可能である。
【００２６】
本発明では、ロックアーム（１３）及び第２孔部（１５）について第１延長部（１１）と第２延長部（１２）の重なり部分（１０ｂ）に配設することにより十分な強度を確保することができる。
【００２７】
本実施例において、第１延長部（１１）の外径は４２．７ｍｍ、内径は３６．４ｍｍであり、第２延長部（１２）の外径は３６．４ｍｍである。第１延長部（１１）の長手方向の長さは上述の通り２００ｍｍとしているが、例えば２１５ｍｍなど任意である。
第２延長部（１２）は８５ｍｍが第１延長部（１１）内に重なる他、上方に延伸している部分の長さが１００ｍである。この１００ｍｍの区間が上段の建枠（２１）内に嵌入することになる。
第１孔部の直径は１０ｍｍないし１２ｍｍ、第２孔部の直径は１０ｍｍである。
【００２８】
また、本発明は次のようにグラビティロック（４０）と延長パイプ（１０）の組み合わせ体を提供することもできる。
図４に示されるように、延長パイプ（１０）にはグラビティロック（４０）と連結するために上記の第２孔部（１５）にボルト（４１）を挿通する。
【００２９】
グラビティロック（４０）にはボルト（４１）と螺合する雌ねじを、グラビティロックの一端芯部に形成している。雌ねじの構造については、図７に断面図を示す。
【００３０】
グラビティロック（４０）の構成は公知であり説明を省略するが、ばね（４０２）の弾性によって跳ね上がり可能な突起部（４０１）が外周に突出することによって、グラビティロック（４０）を挿通した手摺・筋違などが抜けることを防止する。
なお、グラビティロックには、図示されるような跳ね上がり式のタイプと、先端が先折れして抜け防止をする先折れ式のタイプがあるが、挿通後に操作の必要がない跳ね上がり式が優れる。
【００３１】
この点、跳ね上がり式では内部にばね（４０２）を備えており、従来のようにグラビティロック（４０）を溶接すると、その熱により動作不良の原因となっていた。本発明では溶接する必要がないため、跳ね上がり式のグラビティロック（４０）を用いることが容易になる。
【００３２】
図７に示すように、グラビティロック（４０）の一端の芯部には雌ねじ（４００）が形成されている。従来から市販される製品においてもグラビティロック（４０）の芯部が中空になっているものは知られているが、本発明ではここに雌ねじを形成していることに特徴がある。
【００３３】
以上のような構成を備えることで、本発明ではグラビティロック（４０）を延長パイプ（１０）に対して自在に着脱が可能となる。
まず、図５に示すように、ボルト（４１）を延長パイプ（１０）の第２孔部（１５）に挿通し、ボルトの先端を突出させる。そして、このボルト（４１）に対してグラビティロック（４０）の雌ねじ（４００）を螺合させる。
【００３４】
図６に示すように、グラビティロック（４０）が固定されるので、この後は従来からの使用例の手摺・筋違等の部材の固定に用いることが出来る。
言うまでもなく、外す時にはグラビティロック（４０）を回転して取り外すことができるので、グラビティロック（４０）もボルト（４１）も再使用することができる。
【００３５】
本実施例において、全長５０ｍｍのグラビティロック（４０）に対して、ボルト（４１）の突出量は約１８ｍｍ（全長の約３６％）であり、ボルト径はＭ８である。グラビティロックを強固に固定するために、突出量は１０ｍｍないし２５ｍｍが好ましい。全長に対する割合としては、用いるグラビティロックの全長の２０％ないし５０％が好ましい。
【００３６】
上記のような組み合わせ体を提供することによって、グラビティロック（４０）をボルト（４１）で螺合可能としたことにより、グラビティロックを簡便に着脱自在とし、使用性の向上に寄与している。
また、延長パイプ（１０）を用いて高さを延長した際にも、その最上部においてグラビティロック（４０）を簡便に装着することができるので、使用性の向上に寄与する。
【符号の説明】
【００３７】
１  仮設足場
１０  延長パイプ
１１  第１延長部
１２  第２延長部
１３  ロックアーム
１４  孔部
１５  第２孔部
１６  第１孔部
２０  下段建枠
２１  上段建枠
３０  連結ピン
３１  下嵌入部
３２  中間部
３３  上嵌入部
３４  ロックアーム
３５  バネ
【図１】
2019157445.tif 000003
【図２】
2019157445.tif 000004
【図３】
2019157445.tif 000005
【図４】
2019157445.tif 000006
【図５】
2019157445.tif 000007
【図６】
2019157445.tif 000008
【図７】
2019157445.tif 000009